(57)【要約】【課題】取得したデータから適切なデータを選別でき、容易にサイトサーベイを行う。【解決手段】無線端末は、自己の位置と、サーバから通知された情報に基づいて周辺の電波データ収集の実行の要否を判定する手段と、自己の位置の周辺の電波データを移動速度と関連付けて収集する手段と、収集した電波データをサーバに通知する手段とを備え、サーバは、無線端末から通知された位置の周辺について、電波データベースから読み出した過去に収集した電波データから未取得エリアを抽出し、未取得エリアの位置情報に対する電波データが所望の確度となるために必要な取得データ数を算出して電波データ確度マップを生成する手段と、電波データ確度マップに基づき、無線端末がサイトサーベイを行うべき位置と、位置について収集すべきデータ数とを導出する手段と、導出したサイトサーベイを行うべき位置と、位置について収集すべきデータ数とを通知する手段とを備える。【選択図】図１
2015156560.tif 000002
【特許請求の範囲】
【請求項１】
サイトサーベイを行うための電波データを収集する無線端末と、前記電波データを蓄積し、サイトサーベイを行うサーバとが通信可能に接続された無線通信システムであって、
前記無線端末は、
自己の位置を検出する位置検出手段と、
自己の移動速度を検出する移動速度検出手段と、
前記自己の位置と、前記サーバから通知された情報に基づいて周辺の電波データ収集の実行の要否を判定する取得エリア判定手段と、
前記電波データ収集の実行すると判定した場合に、自己の位置の周辺の電波データを前記移動速度と関連付けて収集するデータ収集手段と、
収集した前記電波データを前記サーバに通知するデータ通知手段とを備え、
前記サーバは、
前記電波データを記憶する電波データベースと、
前記無線端末から通知された位置の周辺について、前記電波データベースから読み出した過去に収集した電波データから未取得エリアを抽出し、該未取得エリアの位置情報に対する電波データが所望の確度となるために必要な取得データ数を算出して電波データ確度マップを生成する電波データ確度マップ生成手段と、
前記電波データ確度マップに基づき、前記無線端末がサイトサーベイを行うべき位置と、該位置について収集すべきデータ数とを導出するデータ取得エリア導出手段と、
前記無線端末に対して、導出したサイトサーベイを行うべき位置と、該位置について収集すべきデータ数とを通知する取得エリア通知手段とを備える
ことを特徴とする無線通信システム。
【請求項２】
前記サーバは、
前記無線端末と通信を行う基地局と周辺の構造物との位置情報を記憶する記憶手段をさらに備え、
前記電波データ確度マップ生成手段は、前記基地局の位置と前記構造物の位置関係から前記電波データ確度マップを補正することを特徴とする請求項１に記載の無線通信システム。
【請求項３】
前記無線端末は、他の無線端末とグループを構成し、グループを構成する他の前記無線端末の前記電波データを受信して前記サーバに通知することを特徴とする請求項１または２に記載の無線通信システム。
【請求項４】
サイトサーベイを行うための電波データを収集する無線端末と、前記電波データを蓄積し、サイトサーベイを行うサーバとが通信可能に接続された無線通信システムにおける無線端末であって、
自己の位置を検出する位置検出手段と、
自己の移動速度を検出する移動速度検出手段と、
前記自己の位置と、前記サーバから通知された情報に基づいて周辺の電波データ収集の実行の要否を判定する取得エリア判定手段と、
前記電波データ収集の実行すると判定した場合に、自己の位置の周辺の電波データを前記移動速度と関連付けて収集するデータ収集手段と、
収集した前記電波データを前記サーバに通知するデータ通知手段と
を備えることを特徴とする無線端末。
【請求項５】
サイトサーベイを行うための電波データを収集する無線端末と、前記電波データを蓄積し、サイトサーベイを行うサーバとが通信可能に接続された無線通信システムにおけるサーバであって、
電波データを記憶する電波データベースと、
前記無線端末から通知された位置の周辺について、前記電波データベースから読み出した過去に収集した電波データから未取得エリアを抽出し、該未取得エリアの位置情報に対する電波データが所望の確度となるために必要な取得データ数を算出して電波データ確度マップを生成する電波データ確度マップ生成手段と、
前記電波データ確度マップに基づき、前記無線端末がサイトサーベイを行うべき位置と、該位置について収集すべきデータ数とを導出するデータ取得エリア導出手段と、
前記無線端末に対して、導出したサイトサーベイを行うべき位置と、該位置について収集すべきデータ数とを通知する取得エリア通知手段と
を備えることを特徴とするサーバ。
【請求項６】
サイトサーベイを行うための電波データを収集する無線端末と、サイトサーベイを行う前記電波データを蓄積する電波データベースを備え、サーバとが通信可能に接続された無線通信システムが行う無線通信方法であって、
前記無線端末が、自己の位置を検出する位置検出ステップと、
前記無線端末が、自己の移動速度を検出する移動速度検出ステップと、
前記無線端末が、前記自己の位置と、前記サーバから通知された情報に基づいて周辺の電波データ収集の実行の要否を判定する取得エリア判定ステップと、
前記無線端末が、前記電波データ収集の実行すると判定した場合に、自己の位置の周辺の電波データを前記移動速度と関連付けて収集するデータ収集ステップと、
前記無線端末が、収集した前記電波データを前記サーバに通知するデータ通知ステップと、
前記サーバが、前記無線端末から通知された位置の周辺について、前記電波データベースから読み出した過去に収集した電波データから未取得エリアを抽出し、該未取得エリアの位置情報に対する電波データが所望の確度となるために必要な取得データ数を算出して電波データ確度マップを生成する電波データ確度マップ生成ステップと、
前記サーバが、前記電波データ確度マップに基づき、前記無線端末がサイトサーベイを行うべき位置と、該位置について収集すべきデータ数とを導出するデータ取得エリア導出ステップと、
前記サーバが、前記無線端末に対して、導出したサイトサーベイを行うべき位置と、該位置について収集すべきデータ数とを通知する取得エリア通知ステップと
を有することを特徴とする無線通信方法。
【発明の詳細な説明】
【技術分野】
【０００１】
本発明は、サイトサーベイを行う無線通信システム、無線端末、サーバ及び無線通信方法に関する。
【背景技術】
【０００２】
現在利用中の無線通信の品質の確認や、これから無線通信を利用するために新たに基地局の置局を検討する際には、対象エリアについて、利用したい無線システムの現在の通信トラヒック状況の情報、周波数帯毎の電波の強さの情報、干渉波の状況を示す情報（以下、これらの情報を総称して電波データという）を把握することが求められる。それらの電波データを精度良く把握するには、実際の場所で計測用の無線端末を持って、エリア内を移動しながら、実際に発出される情報を地理的情報にマッピングした情報として収集するサイトサーベイを行う必要がある。
【０００３】
一般的なサイトサーベイにおいては、非特許文献１のように、測定者が地図を表示する機能を具備する端末などによって手元で、測定エリア中の自らの位置を確認しながら、測定者が自ら次に計測する測定位置を考えながら移動してサイトサーベイを行っている。そのため、専用の機能を具備する端末を利用する必要があり、且つサーベイする測定点の選定についてノウハウが必要になるため、簡易なサーベイを行うことが困難となる。
【先行技術文献】
【非特許文献】
【０００４】
【非特許文献１】武蔵工業大学  環境情報学部  情報メディアセンタージャーナル  ２００５．４、第６号、ｐ．５４−６０
【発明の概要】
【発明が解決しようとする課題】
【０００５】
一般的に、サイトサーベイにおいて利用エリア内を利用目的に即した精度でデータを取得するには、データ取得可能な無線端末を用いて、測定者が自身でデータ取得の必要な場所を判断して、且つデータ取得タイミングを意識した移動速度で移動しながらデータを取得することが求められる。そのため、特別のスキルを持った作業者が行うことになり、効率的なサイトサーベイを簡易に行うことが困難である。
【０００６】
また、無線端末から取得するデータは、一般的に動作中のすべてのデータを収集する。このように大量に収集されるデータにおいては、データに含まれる誤差要因が大きいために電波状況の把握の精度向上に支障をきたすデータも含まれることがある。例えば、移動しながら取得する電波データは、測定者の位置の移動によって電波データと異なる測定点位置を紐づけてしまうことにより、位置に対する電波データとして誤差要因を含む恐れがある。そのために、大量の取得データから適切なデータを選別しなければならないという問題がある。また、電波の伝搬路は遮蔽物の移動など環境の変動により時々刻々と変動するため、正確なデータを得るにはサイトサーベイを繰り返さないといけないという問題もある。
【０００７】
本発明は、このような事情に鑑みてなされたもので、取得したデータの中から適切なデータを選別でき、容易にサイトサーベイを行うことが可能な無線通信システム、無線端末、サーバ及び無線通信方法を提供することを目的とする。
【課題を解決するための手段】
【０００８】
本発明は、サイトサーベイを行うための電波データを収集する無線端末と、前記電波データを蓄積し、サイトサーベイを行うサーバとが通信可能に接続された無線通信システムであって、前記無線端末は、自己の位置を検出する位置検出手段と、自己の移動速度を検出する移動速度検出手段と、前記自己の位置と、前記サーバから通知された情報に基づいて周辺の電波データ収集の実行の可否を判定する取得エリア判定手段と、前記電波データ収集の実行を行うと判定した場合に、自己の位置の周辺の電波データを前記移動速度と関連付けて収集するデータ収集手段と、収集した前記電波データを前記サーバに通知するデータ通知手段とを備え、前記サーバは、前記電波データを記憶する電波データベースと、前記無線端末から通知された位置の周辺について、前記電波データベースから読み出した過去に収集した電波データから未取得エリアを抽出し、該未取得エリアの位置情報に対する電波データが所望の確度となるために必要な取得データ数を算出して電波データ確度マップを生成する電波データ確度マップ生成手段と、前記電波データ確度マップに基づき、前記無線端末がサイトサーベイを行うべき位置と、該位置について収集すべきデータ数とを導出するデータ取得エリア導出手段と、前記無線端末に対して、導出したサイトサーベイを行うべき位置と、該位置について収集すべきデータ数とを通知する取得エリア通知手段とを備えることを特徴とする。
【０００９】
本発明は、前記サーバは、前記無線端末と通信を行う基地局と周辺の構造物との位置情報を記憶する記憶手段をさらに備え、前記電波データ確度マップ生成手段は、前記基地局の位置と前記構造物の位置関係から前記電波データ確度マップを補正することを特徴とする。
【００１０】
本発明は、前記無線端末は、他の無線端末とグループを構成し、グループを構成する他の前記無線端末の前記電波データを受信して前記サーバに通知することを特徴とする。
【００１１】
本発明は、サイトサーベイを行うための電波データを収集する無線端末と、前記電波データを蓄積し、サイトサーベイを行うサーバとが通信可能に接続された無線通信システムにおける無線端末であって、自己の位置を検出する位置検出手段と、自己の移動速度を検出する移動速度検出手段と、前記自己の位置と、前記サーバから通知された情報に基づいて周辺の電波データ収集の実行の可否を判定する取得エリア判定手段と、前記電波データ収集の実行を行うと判定した場合に、自己の位置の周辺の電波データを前記移動速度と関連付けて収集するデータ収集手段と、収集した前記電波データを前記サーバに通知するデータ通知手段とを備えることを特徴とする。
【００１２】
本発明は、サイトサーベイを行うための電波データを収集する無線端末と、前記電波データを蓄積し、サイトサーベイを行うサーバとが通信可能に接続された無線通信システムにおけるサーバであって、電波データを記憶する電波データベースと、前記無線端末から通知された位置の周辺について、前記電波データベースから読み出した過去に収集した電波データから未取得エリアを抽出し、該未取得エリアの位置情報に対する電波データが所望の確度となるために必要な取得データ数を算出して電波データ確度マップを生成する電波データ確度マップ生成手段と、前記電波データ確度マップに基づき、前記無線端末がサイトサーベイを行うべき位置と、該位置について収集すべきデータ数とを導出するデータ取得エリア導出手段と、前記無線端末に対して、導出したサイトサーベイを行うべき位置と、該位置について収集すべきデータ数とを通知する取得エリア通知手段とを備えることを特徴とする。
【００１３】
本発明は、サイトサーベイを行うための電波データを収集する無線端末と、サイトサーベイを行う前記電波データを蓄積する電波データベースを備え、サーバとが通信可能に接続された無線通信システムが行う無線通信方法であって、前記無線端末が、自己の位置を検出する位置検出ステップと、前記無線端末が、自己の移動速度を検出する移動速度検出ステップと、前記無線端末が、前記自己の位置と、前記サーバから通知された情報に基づいて周辺の電波データ収集の実行の可否を判定する取得エリア判定ステップと、前記無線端末が、前記電波データ収集の実行を行うと判定した場合に、自己の位置の周辺の電波データを前記移動速度と関連付けて収集するデータ収集ステップと、前記無線端末が、収集した前記電波データを前記サーバに通知するデータ通知ステップと、前記サーバが、前記無線端末から通知された位置の周辺について、前記電波データベースから読み出した過去に収集した電波データから未取得エリアを抽出し、該未取得エリアの位置情報に対する電波データが所望の確度となるために必要な取得データ数を算出して電波データ確度マップを生成する電波データ確度マップ生成ステップと、前記サーバが、前記電波データ確度マップに基づき、前記無線端末がサイトサーベイを行うべき位置と、該位置について収集すべきデータ数とを導出するデータ取得エリア導出ステップと、前記サーバが、前記無線端末に対して、導出したサイトサーベイを行うべき位置と、該位置について収集すべきデータ数とを通知する取得エリア通知ステップとを有することを特徴とする。
【発明の効果】
【００１４】
本発明によれば、取得したデータの中から適切なデータを選別でき、容易にサイトサーベイを行うことが可能になるという効果が得られる。
【図面の簡単な説明】
【００１５】
【図１】本発明の一実施形態の構成を示すブロック図である。
【図２】取得済みデータ数の一例を示す説明図である。
【図３】変換後の重み付きの取得済みデータ数の一例を示す説明図である。
【図４】取得済みデータのばらつきを算出した結果を示す説明図である。
【図５】データのばらつきに対して、要求精度を満たすために必要な取得データ数の関係を示す図である。
【図６】電波データ確度マップの一例を示す図である。
【図７】データ取得エリア情報の一例を示す説明図である。
【図８】電波データ確度マップに対して基地局と構造物の影響を加算した一例を示す説明図である。
【図９】図１に示す無線端末２が定期的に行う動作を示すフローチャートである。
【図１０】無線端末２がサーバ１から通知を受けた際の動作を示すフローチャートである。
【図１１】サーバ１が無線端末２からの取得データ受信を検出した際の動作を示すフローチャートである。
【図１２】無線端末２からの自己位置情報の受信を検出した際の動作を示すフローチャートである。
【図１３】図１に示す無線通信システムの変形例の構成を示すブロック図である。
【発明を実施するための形態】
【００１６】
以下、図面を参照して、本発明の一実施形態による無線通信システムを説明する。図１は同実施形態の構成を示すブロック図である。この図に示す無線通信システムは、サーバ１と、ネットワーク５を介して接続する無線端末２とによって構成される。図１において、符号１１は、位置情報と紐づいた無線に関するデータを蓄積する電波データベース（ＤＢ）である。符号１２は、ユーザの無線端末２から通知された位置周辺について、過去に収集した無線に関するデータを電波ＤＢ１１から抽出して、位置情報に対して電波データが所望の精度を満たすために必要なデータ数を算出することにより電波データ確度マップを生成する電波データ確度マップ生成部である。符号１３は、無線端末２がサイトサーベイを行う場所と、その場所について収集したいデータ数とを導出するデータ取得エリア導出部である。符号１４は、無線端末２に算出したデータ取得エリアの情報を通知する取得エリア通知部である。
【００１７】
符号２１は、自己の位置を検出する位置検出部である。符号２２は、自己の位置とサーバ２から通知された情報から電界強度などの周辺の無線に関するデータ収集の実行の可否を判断する取得エリア判定部である。符号２３は、自己の移動速度と移動方向とを検出する移動速度検出部である。符号２４は、自己の位置の周辺の無線に関するデータを移動速度と紐づけて収集するデータ収集部である。符号２５は、サーバ１にデータを通知するデータ通知部である。符号２６は、定期的に自己位置をサーバ２に通知する位置通知部である。ここでは、無線端末２の周辺エリアをユーザの周辺エリア３と称する。
【００１８】
次に、図１に示す無線通信システムの動作を説明する。始めに、サーバ１の動作を説明する。まず、無線端末２から自己位置情報を受信したとき、電波データ確度マップ生成部１２は、電波ＤＢ１１から、ユーザの周辺エリア３について、過去に取得した電波データを抽出し、エリア内を予め規定したメッシュ単位で、取得済みデータ数を抽出する。図２は、取得済みデータ数の一例を示す説明図である。図２に示すように、無線端末２の位置を中心として、ユーザの周辺エリア３をメッシュに分割した小エリア毎に取得済みのデータ数が定義されている。
【００１９】
次に、電波データ確度マップ生成部１２は、各取得データの移動速度によって重みづけした取得データ数に変換する。図３は、変換後の重み付きの取得済みデータ数の一例を示す説明図である。図３に示すように、データ取得時の移動速度が大きいほど取得データに誤差が含まれる可能性が高くなることが想定されるため、移動速度が大きいほど影響度が少なくなる重みづけをすることが望ましい。また、取得データ数の重みづけとして、データ取得時間から取得データの新鮮度を考慮して、過去に取得した情報ほど重要度が下がる重みづけする（重みを軽くする）ことも可能である。図３に示す破線で囲った部分が重みを付けた取得済みデータ数である。
【００２０】
次に、電波データ確度マップ生成部１２は、各メッシュの取得データのばらつきを算出する。図４は、取得済みデータのばらつきを算出した結果を示す説明図である。そして、電波データ確度マップ生成部１２は、取得データの確度を規定するために、ばらつきに対する必要データ数の関係（図５参照）に従って、各メッシュで必要とする取得データ数のマップを電波データ確度マップとして生成する。図５は、データのばらつきに対して、要求精度を満たすために必要な取得データ数の関係を示す図である。図６は、電波データ確度マップ（要求精度を満たすために必要な取得データ数を示すマップ）の一例を示す図である。
【００２１】
次に、データ取得エリア導出部１３は、電波データ確度マップから無線端末２に指示するデータ取得数にデータ取得エリア情報として変換する。図７は、データ取得エリア情報の一例を示す説明図である。図７において、０でない小エリアがデータ取得を取得すべきエリアであることを示している。続いて、取得エリア通知部１４は、変換によって得られたデータ取得エリア情報を無線端末２に通知する。
【００２２】
なお、図６に示す電波データ確度マップを生成時に、電波ＤＢ１１に格納された周辺の基地局と、構造物（例えば、遮蔽物）と、通信エリア端の情報を元に、一般的な電波伝搬の特性からデータのゆらぎが発生しやすいエリアを算出して、規定した影響度を加算するようにしてもよい。図８は、電波データ確度マップに対して基地局と構造物の影響を加算した一例を示す説明図である。図８においては、基地局に対して直接波が遮蔽物によって遮蔽されるエリアや、基地局から離れた通信エリア端を超えるエリアの取得データ数を加算した一例を示している。
【００２３】
次に、図９〜１２を参照して、図１に示す無線通信システムの動作を説明する。始めに図９を参照して、図１に示す無線端末２が定期的に行う動作を説明する。図９は、図１に示す無線端末２が定期的に行う動作を示すフローチャートである。まず、位置検出部２１は、定期的に自己の位置を検出する（ステップＳ１）。これを受けて、位置通知部２６は、位置検出部２１が検出した自己の位置を示す情報をネットワーク５を介してサーバ１に通知する（ステップＳ２）。この無線端末２の位置を示す情報は、サーバ１の電波データ確度マップ生成部１２が受信し、前述した動作によって取得エリアの通知を無線端末２へ返す。
【００２４】
次に、図１０を参照して、無線端末２がサーバ１から通知を受けた際の動作を説明する。図１０は、無線端末２がサーバ１から通知を受けた際の動作を示すフローチャートである。まず、位置検出部２１は、サーバからのデータ取得エリア情報を受信したとき、自己の位置を検出する（ステップＳ１１）。そして、取得エリア判定部２２は、データ取得エリア情報内の自己位置のメッシュの取得データ数が０より大きい、すなわちデータ取得が必要か否かを判定する（ステップＳ１２）。
【００２５】
次に、１個以上のデータ取得が必要なとき（ステップＳ１２においてＹｅｓ）、移動速度検出部２３は、自己の移動速度と移動方向とを検出する（ステップＳ１３）。そして、データ収集部２４は、周辺の無線に関するデータを収集し、検出した自己の移動速度を紐づけて内部に保持する（ステップＳ１４）。
【００２６】
次に、取得エリア判定部２２は、現在位置のメッシュの取得データ数をカウントダウンし（ステップＳ１５）、ステップＳ１１に戻ることによって、現在位置のメッシュのデータ取得数に達するまでデータ取得を繰り返す。そして、取得完了後（ステップＳ１２においてＮｏ）、データ通知部２５は、サーバ１に対して取得したデータを送信し（ステップＳ１６）、処理を終了する。
【００２７】
次に、図１１を参照して、サーバ１が無線端末２からの取得データ受信を検出した際の動作を説明する。図１１は、サーバ１が無線端末２からの取得データ受信を検出した際の動作を示すフローチャートである。まず、サーバ１は、無線端末２からの取得データ受信を検出したときに、受信データを電波ＤＢ１１へ蓄積する（ステップＳ２１）。そして、電波データ確度マップ生成部１２が電波データ確度マップを作成するときには、無線端末２から通知された新しい取得データを反映して作成することとなる。
【００２８】
次に、図１２を参照して、無線端末２からの自己位置情報の受信を検出した際の動作を説明する。図１２は、無線端末２からの自己位置情報の受信を検出した際の動作を示すフローチャートである。まず、電波データ確度マップ生成部１２は、電波ＤＢ１１の情報を元に、前述した処理動作によって電波データ確度マップを生成する（ステップＳ３１）。そして、データ取得エリア導出部１３は、前述した処理動作によってデータ取得エリア情報を導出する（ステップＳ３２）。続いて、取得エリア通知部１４は、無線端末２へデータ取得エリア情報を通知する（ステップＳ３３）。
【００２９】
なお、前述した無線端末はスマートホンのように加速度センサ、ジャイロセンサ、ＧＰＳ等を具備した一般ユーザの利用する無線端末を想定しているため、それらのセンサ情報と無線電波の強度を用いて、無線端末に関する位置情報、移動速度、移動方向の取得するようにしてもよい。
【００３０】
また、先述した無線端末の機能は、無線端末のユーザにアクションを要求しないで実装することも可能である。そのため実装の一例として、バックグランドで動作するプロセスとして実装することによって、ユーザの自然の処理動作の中でサーバが判断した所望の位置でのデータを取得することも可能となる。
【００３１】
また、図１２において、サーバ１の動作開始の契機は、保守者が無線端末を特定して契機を与えたり、別のプログラムの判断ロジック等から与えられてもよい。
【００３２】
このように、サーバ１が過去に取得したデータから無線端末２にサイトサーベイを行う範囲を通知し、無線端末２が備える判定機能によって範囲を判定してデータを取得することによって、特別なスキルを持った人が明示的に取得エリアを選定する必要がなく、位置に関する必要なデータの選別について自動化することができる。また、サーバ１から取得したデータと移動速度を紐づけて管理し、重みづけして評価を行うことによって、移動が誤差要因となるデータの影響度を低減することができ、取得データの精度向上に資するデータ選別を可能にすることができる。
【００３３】
また、無線端末２周辺の構造物（例えば、遮蔽物）の状況を加味した必要取得データ数を算出することによって、構造物の特徴から類推される無線伝搬のゆらぎが大きいと想定されるエリアにおいて手厚いデータ取得を指示することによって、取得データの精度向上を可能にすることができる。また、ユーザ動作やスキルの負担の少ないアプリケーションを利用する中での電波データの蓄積が可能となる。同時に、アプリケーション内で明示的にユーザが入力動作を行うことによって、自然にデータ取得を好まないユーザに対してデータ取得を意識づけすることが可能となる。
【００３４】
次に、図１３を参照して、図１に示す無線通信システムの変形例を説明する。図１３は、図１に示す無線通信システムの変形例の構成を示すブロック図である。この図において、図１に示す無線通信システムと同一の部分には同一の符号を付し、その説明を省略する。この図に示す無線通信システムが図１に示す無線通信システムと異なる点は、サーバ１内に端末間通信補助部１５と端末グループ管理部１６を新たに設けた点である。また、無線端末２内に簡易入力部２７、入力トリガ通知部２８、グループデータ受信部２９、受信データ表示部３０を新たに設けた点である。  
【００３５】
次に、図１３を参照して、図１３に示す無線通信システムの動作を説明する。図１３に示す無線通信システムは、グループ化した無線端末２、無線端末４の間で簡易な入力による通信し合う機能を有している。無線端末２は、ボタン押下のみを行う簡易入力部２７を備え、簡易入力部２７から入力があった際に入力トリガ通知部２９は、このユーザが入力を行った事実を、サーバ１の端末間通信補助部１５を介してグループ化された別の無線端末４に通知する。この通知と同時に、位置通知部２６が自己位置の通知を行うことによって、サーバ１に電波データ取得の契機を与えて、この無線端末２のデータ取得を開始する。
【００３６】
一方、サーバ１の端末グループ管理部１６は、通知し合う無線端末２、４間をグループ化して管理する。そして、無線端末２のグループデータ受信部２９は、同一グループからの簡易入力の通知を受信し、受信データ表示部３０は、同一グループからの簡易入力の通知を受信したときに、受信データを表示する。
【００３７】
このように、サーバ１で計算を行い無線端末に指示をしているため、無線端末を利用するユーザの利用環境を自らがサーベイするだけでなく、本実施形態の無線通信システムを利用している近隣の別のユーザが自分の利用環境付近を通過する際に、代行してサーベイを行ってもらうことが可能となる。ただし、ユーザの無線端末内でサーバ内の機能を具備することによって、ユーザ自らの範囲内で運用することは可能である。
【００３８】
以上説明したように、所定の周波数帯域の電波環境に関する情報をエリアごとに収集するサイトサーベイにおいて、収集される情報が電波環境の変動や測定者の移動等から大きく影響を受けるため、正確な測定には測定者の専門技能や専門に行う装置が必要である。本実施形態では、収集した情報に対して移動速度情報等や構造物の情報等に基づき情報の信頼性の重み付けをしたり、以前収集した情報に対して経過時間等に基づき情報の信頼性の重み付けをした上で、上記情報の収集が必要なエリアを特定し、測定者の無線端末に通知するようにした。これにより、電波環境情報の収集に関する専門的な技能や専門に行う装置を必要とせずに、正確に所定の周波数帯域の電波環境に関する情報を収集することができる。
【００３９】
前述した実施形態における無線通信システムの無線端末及びサーバをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００４０】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００４１】
取得したデータの中から適切なデータを選別でき、容易にサイトサーベイを行うことが不可欠な用途に適用できる。
【符号の説明】
【００４２】
１・・・サーバ、１１・・・電波データベース（ＤＢ）、１２・・・電波データ確度マップ生成部、１３・・・データ取得エリア導出部、１４・・・取得エリア通知部、１５・・・端末間通信補助部、１６・・・端末グループ管理部、２・・・無線端末、２１・・・位置検出部、２２・・・取得エリア判定部、２３・・・移動速度検出部、２４・・・データ収集部、２５・・・データ通知部、２６・・・位置通知部、２７・・・簡易入力部、２８・・・入力トリガ通知部、２９・・・グループデータ受信部、３０・・・受信データ表示部、３・・・ユーザの周辺エリア、４・・・無線端末、５・・・ネットワーク
【図１】
2015156560.tif 000003
【図２】
2015156560.tif 000004
【図３】
2015156560.tif 000005
【図４】
2015156560.tif 000006
【図５】
2015156560.tif 000007
【図６】
2015156560.tif 000008
【図７】
2015156560.tif 000009
【図８】
2015156560.tif 000010
【図９】
2015156560.tif 000011
【図１０】
2015156560.tif 000012
【図１１】
2015156560.tif 000013
【図１２】
2015156560.tif 000014
【図１３】
2015156560.tif 000015